(57)【要約】      （修正有）【課題】自動収傘可能な多段折り畳み傘構造を提供する。【解決手段】中棒、傘骨を結合する若干の収傘ばね、傘面を支承する傘骨ユニット、前記中棒下端を挿固する傘柄、収傘ボタン、からなる。中棒内は中棒を収縮するばねと引き線を設置し、ばねは中棒の上下端に固定され、引き線はばねを穿設し、上端は中棒の滑輪座の上滑輪を経て、下巣の下滑輪から穿出して上巣に戻って固定される。引き線下段は定位素子を連接する剛性線で、制御素子が傘柄内に設置され、収傘ボタンを押すと定位素子が定位と釈放する。下巣により傘骨ユニットを上推して傘面を開き、中棒の各スリーブが上に展開すると共にばねを引き伸ばす。引き線下端の定位素子は制御素子により固定され、上端は上滑輪により下巣を固定し、下滑しないで開傘状態を維持する。収傘ボタンを押すと定位素子が釈放され、下巣が下滑し、傘骨ユニットは収傘ばね作用下で収折し、中棒はばねの作用下で、順に収折する。【選択図】図１
0003148754.tif 000002
【実用新案登録請求の範囲】
【請求項１】
自動収傘可能な多段折り畳み傘構造であって、中棒、傘骨を結合する若干の収傘ばね、傘面を支承する傘骨ユニット、前記中棒下端を挿固する傘柄、収傘ボタン、からなり、その特徴は、前記中棒内は前記中棒を収縮するばねと引き線を設置し、前記ばねはそれぞれ、前記中棒の上下端に固定され、前記引き線は前記ばねを穿設し、上端は前記中棒の滑輪座の上滑輪を経て、下巣の下滑輪から穿出して、上巣に戻って固定され、前記引き線下段は定位素子を連接する剛性線で、制御素子が前記傘柄内に設置され、前記収傘ボタンを押すと、前記定位素子の定位と釈放を達成し、前記下巣により前記傘骨ユニットを上推して傘面を開き、前記中棒の各スリーブが上に展開すると共に、前記ばねを引き伸ばし、前記引き線下端の定位素子は前記制御素子により固定され、上端は前記上滑輪により前記下巣を固定し、下滑しないで、開傘状態を維持し、前記収傘ボタンを押して、前記制御装置を駆動し、前記定位素子を釈放して、前記下巣が前記引き線の引き力を失って下滑する時、前記傘骨ユニットは前記収傘ばね作用下で収折し、前記中棒は前記ばねの作用下で、順に、収折することを特徴とする自動収傘可能な多段折り畳み傘構造。
【請求項２】
前記制御装置は、縦向けの制御素子を有し、中段に前記傘柄を枢設し、下段は係鎖部を有し、上段は前記収傘ボタンと相対する押圧部を延伸し、前記係鎖部と前記傘柄内壁間に復位ばねを有して推頂し、前記定位素子は前記係鎖部に対応しスロットを有することを特徴とする請求項１に記載の自動収傘可能な多段折り畳み傘構造。
【請求項３】
前記中棒の内スリーブは側孔を設置し、下端は前記側孔の内塞を結合し、剛性線が前記定位素子を上下にシフトさせることを特徴とする請求項１、或いは、２に記載の自動収傘可能な多段折り畳み傘構造。
【考案の詳細な説明】
【技術分野】
【０００１】
本考案は、損壊しにくく、耐久使用できる自動収傘可能な多段折り畳み傘構造に関するものである。
【背景技術】
【０００２】
２００４年５月２１日に申請された第２００４００５９７５７．Ｘ号の「折り畳み傘自動収合構造」中国考案の構造は、手による押圧で、傘面、及び、中棒を同時に収折する功能を達成する。しかし、この構造は、主弾性ばね、及び、連結ロープが過度に集中し、中棒外側上端に露出し、傘骨が強風によって外翻する時損壊して使用できなくなる。また、中棒の各節内外のスリーブ間は保護構造がないので、手指を挟傷する欠点がある。
【０００３】
よって、公知の折り畳み傘自動収合構造の損壊しやすく、手指を怪我しやすい等の欠点を改善することが必要である。
【考案の開示】
【考案が解決しようとする課題】
【０００４】
本考案の目的は、簡単な連動構造を平均的に中棒内部に配置して、隠蔵構造を構成し、構造が過度に集中して上端に露出することにより、使用時に折損するのを防止し、耐久使用ができる自動収傘可能な多段折り畳み傘構造を提供することにある。
【０００５】
本考案の目的は、収傘時、中棒の各節スリーブによって手指が怪我するのを防止する使用安全性の高い自動収傘可能な多段折り畳み傘構造を提供することにある。
【課題を解決するための手段】
【０００６】
本考案の自動収傘可能な多段折り畳み傘構造は、中棒、収傘装置、若干の収傘ばね、及び、傘面を支承する傘骨ユニット、傘柄、収傘ボタン、及び、制御装置からなる。
【考案の効果】
【０００７】
本考案の自動収傘可能な多段折り畳み傘構造は、損壊しにくく、耐久使用ができ、手指を損傷しにくいという長所が得られる。
【考案を実施するための最良の形態】
【０００８】
図１、図３で示されるように、本考案は、中棒１０、収傘装置２０、若干の収傘ばね３６、及び、傘面を支承する傘骨ユニット３０、傘柄４０、収傘ボタン４３、及び、制御装置５０、からなる。
【０００９】
中棒１０は、複数のスリーブを順に重畳してなり、上巣１２の外スリーブ１１’上端内に滑輪座２２を結合する。滑輪座２２内は上滑輪２２１を枢設し、下巣１３下端はゲル層１３２を結合し、上端一側は下滑輪１３１を結合し、各節の内スリーブ１１上端に相対して、定位塞１４を結合し、図５で示されるように、定位塞１４は容槽１４１を凹設し、弾性素子１５を結合する。弾性素子１５は、弾性ばね１５１の推頂を受ける弾珠１５２を有し、外スリーブ１１’の定位孔１１１から伸出したり、圧入したりでき、もう一側はチャネル１４２を貫設し、引き線２４、及び、ばね２１を穿設する。最内スリーブ１１末端は内塞２３を結合して、傘柄４０を挿固し、内塞２３と内スリーブ１１は側孔２３１を設置する。各節の外スリーブ１１’下端に、手が怪我するのを防止する保護素子１６を設置し、下縁１６１により外スリーブ１１’底端に抵接する。
【００１０】
収傘装置２０は、中棒１０内に配置する引き線２４、及び、中棒１０に対し収縮するばね２１を有する。ばね２１上端は滑輪座２２底部を固定し、下端は内塞２３上端を固定する。引き線２４はばね２１を穿設し、上端は上滑輪２２１を経て下巣１３の下滑輪１３１から穿出後、上巣１２に戻って固定され、引き線２４下段は剛性線２４１で、定位素子２５を連接し、内塞２３内でシフトする。定位素子２５下段外部に、制御装置５０を定位するスロット２５１を凹設する。或いは、図８で示されるように、定位素子２５’末端はスロット２５１’を設置する。剛性線２４１の長さは収傘状態下の滑輪座２２底部から定位素子２５までの距離である。
【００１１】
傘骨ユニット３０は、図３で示されるように、内から順に上巣１２を枢接する内骨３１、一つ、或いは、それ以上の中骨３２、尾骨３３、内骨３１中段に連接し、内端が下巣１３を順に枢接する下骨３４、中骨３２と下骨３４を連接する連棒３５、中骨３２両端の尾骨３３内端、及び、内骨３１外端を枢接する弾性骨３７と、内骨３１と連棒３５を連接する収傘ばね３６と、からなる。
【００１２】
傘柄４０は、開口内に固定座４２を結合し、内塞２３を結合する中棒１０下端を固定し、側壁が収傘ボタン４３を結合する。
【００１３】
制御装置５０は、図４で示されるように、縦向けの制御素子５１により、中段に傘柄４０を枢設し、下段は係鎖部５１１を有し、内塞２３の側孔２３１から伸入し、定位素子２５のスロット２５１で位置制限され、上段は収傘ボタン４３と相対する押圧部５１２を延伸する。係鎖部５１１と傘柄４０内壁間に復位ばね５２を有し、係鎖部５１１を推頂してなる。通常の状態下で、定位素子２５は制御素子５１の係鎖部５１１により係鎖位置に固定され、収傘ボタン４３が押され、押圧部５１２を推頂して係鎖部５１１が定位素子２５のスロット２５１から離れる時、定位素子２５は釈放されて、引き線に伴って上下に移動する。
【００１４】
開傘操作は、下巣１３を上に推動する時、引き線２４下端の定位素子２５が係鎖部５１１により最下側のスロット２５１で固定されて不動になり、下巣１３が上昇し、傘骨ユニット３０を推頂して傘面を開き、傘骨ユニット３０を連結する収傘ばね３６が引かれ、外側の引き線２４が順に、中棒１０の内側に引き入れられ、中棒１０の各管が上向けに展開されると共に、内部のばね２１が引き伸ばされ、上巣１２と定位素子２５間の引き線２４が張力状態になり、下巣１３が固定不動になり、図１で示されるように、下滑せずに開傘状態を維持する。  
【００１５】
収傘操作は、収傘ボタン４３を押して制御素子５１の押圧部５１２を推頂し、係鎖部５１１が、定位素子２５の最上側スロット２５１の結合を脱離し、定位素子２５が釈放される。下巣１３は引き線２４の引き力を失って下滑する時、収傘ばね３６が下巣１３を下推し、傘骨ユニット３０が収折され（図３で示される）、中棒１０はばね２１の作用下で順に収折し、上巣１２内の滑輪座２２底部は剛性線２４１を下向けに抵止して、定位素子２５の最下スロット２５１を推頂し、再度、係鎖部５１１により定位する自動収折操作を行う。図２で示されるように、定位素子２５の複数のスロット２５１の係固設計により、定位素子２５が内塞２３チャンバ内部空間の揺動を縮小することができる。
【００１６】
図６、図７で示されるように、各節の内スリーブ１１内に、W型の弾弓１７から両側のV字型脚１７１に変えて、定位塞１４’内壁を推頂し、両V字型脚１７１中間の連接段１７２により弾珠１５２を支承し、中棒１０の外スリーブ１１’に相対する定位孔１１１から伸出、或いは、圧入することができる。
【図面の簡単な説明】
【００１７】
【図１】本考案の開傘状態の断面図である。
【図２】本考案の収傘状態の断面図である。
【図３】本考案の傘骨ユニット構造の平面図である。
【図４】本考案の開傘状態の傘柄内部の制御装置の断面図である。
【図５】本考案の中棒定位構造の断面図である。
【図６】本考案の中棒定位のもう一つの構造実施例図である。
【図７】図６のもう一つの断面図である。
【図８】本考案の定位素子のもう一つの実施例図である。
【符号の説明】
【００１８】
中棒１０
内スリーブ１１
外スリーブ１１’
上巣１２
下巣１３
定位塞１４、１４’
弾性素子１５
保護素子１６
弾弓１７
収傘装置２０
ばね２１
滑輪座２２
内塞２３
引き線２４
定位素子２５、２５’
傘骨ユニット３０
内骨３１
中骨３２
尾骨３３
下骨３４
連棒３５
収傘ばね３６
弾性骨３７
傘柄４０
収傘ボタン４３
制御装置５０
定位孔１１１
下滑輪１３１
ゲル層１３２
容槽１４１
チャネル１４２
弾性ばね１５１
弾珠１５２
下縁１６１
V字型脚１７１
連接段１７２
上滑輪２２１
側孔２３１
剛性線２４１
スロット２５１、２５１’
【図１】
0003148754.tif 000003
【図２】
0003148754.tif 000004
【図３】
0003148754.tif 000005
【図４】
0003148754.tif 000006
【図５】
0003148754.tif 000007
【図６】
0003148754.tif 000008
【図７】
0003148754.tif 000009
【図８】
0003148754.tif 000010